(57)【要約】【課題】  不要輻射の漏れを少なくし、且つ、接続ジャックの固着部がこじられると云ったことのない信頼性の高い接続ジャックの取付構造、並びに、このような構造を有する電子装置を提供する。【解決手段】  装置外への不要輻射の漏れ出しを遮断する電磁シールド１０，４０と、外部プラグを接続するための接続ジャック３４とを備えた電子装置１である。そして、接続ジャック３４の上面側を覆い囲む金属製のブラケット７０を備え、ブラケット７０が接続ジャック３４の上面側を覆い囲んだ状態で配線基板３０を介してネジ止着され、電磁シールド１０が接続ジャック３４の前面位置まで配設されて装置内を遮蔽する構成とした。また、ブラケット７０が配線基板３０のグランドと電磁シールド１０，４０と接触されてこれらを電気的に結合させる構成とした。【選択図】        図１
2008103446.tif 000002
【特許請求の範囲】
【請求項１】
高周波信号を処理する処理回路と、装置外への不要輻射の漏れ出しを遮断する電磁シールドと、外部プラグを接続するための接続ジャックとを備えた電子装置であって、
前記接続ジャックを基板固定用に部品化してなる接続ジャック部品と、
電子部品が搭載された配線基板と、
前記接続ジャック部品の上面側を覆い囲む金属製のブラケットとを備え、
前記接続ジャック部品の底面部が前記配線基板に向かい合った状態で当該接続ジャック部品の端子と前記配線基板とが半田固着され、
前記ブラケットが前記接続ジャック部品の上面側を覆い囲んだ状態で前記配線基板を介してネジ止着され、
前記電磁シールドには前記接続ジャックのプラグ差込口の部分に開口が形成されるとともに当該電磁シールドが前記接続ジャック部品の前面位置まで配設されて装置内を遮蔽し、
且つ、前記ブラケットが前記配線基板のグランドおよび前記電磁シールドと接触してこれらを電気的に結合させていることを特徴とする電子装置。
【請求項２】
外部プラグを接続するための接続ジャックが基板固定用に部品化されてなる接続ジャック部品を配線基板に取り付ける接続ジャックの取付構造であって、
前記接続ジャック部品を跨いでその上面側を覆い囲むブラケットを備え、
前記接続ジャック部品の底面部が前記配線基板に向かい合った状態で当該接続ジャック部品の端子と前記配線基板とが半田固着され、
前記ブラケットが前記接続ジャック部品の上面側を覆い囲んだ状態で前記配線基板を介してネジ止着されていることを特徴とする接続ジャックの取付構造。
【請求項３】
外部プラグを接続するための接続ジャックを備えた電子装置であって、
前記接続ジャックのプラグ差込口が外側ケースより内側に入り込んだ位置に配置にされ、
前記接続ジャックを構成する接続ジャック部品が請求項２記載の接続ジャックの取付構造により取り付けられていることを特徴とする電子装置。
【請求項４】
内部に高周波信号を処理する処理回路と、
前記プラグ差込口の部分が開口された電磁シールドとを備え、
前記電磁シールドにより前記接続ジャック部品の前面位置まで装置内が遮蔽されていることを特徴とする請求項３記載の電子装置。
【請求項５】
前記ブラケットは、金属性の部材から形成されるとともに、前記配線基板より上方位置に形成された止着面と、前記配線基板より下側まで伸びる延出部とを有し、
前記配線基板の上側を覆う第１電磁シールドが前記ブラケットの前記止着面にネジ止着され、
前記配線基板の下側を覆う第２電磁シールドが前記ブラケットの前記延出部に接触して電気的に結合していることを特徴とする請求項４記載の電子装置。
【請求項６】
前記配線基板の前記ブラケットがネジ止着される部位には該配線基板のグランド線と接続された金属パッドが形成されているとともに、
該金属パッド上に金属の凹凸が形成されていることを特徴とする請求項３〜５の何れかに記載の電子装置。
【発明の詳細な説明】
【技術分野】
【０００１】
この発明は、例えばＤＣジャックやミニジャックなどの接続ジャックを配線基板に取り付ける接続ジャックの取付構造、並びに、このような接続ジャックを備えた電子装置に関する。
【背景技術】
【０００２】
電子装置には、例えばＡＣアダプタのＤＣプラグを接続するＤＣジャックや、ヘッドフォン端子やその他の用途で用いられるミニプラグを接続するミニジャックを備えたものがある。
【０００３】
一般に、このような接続ジャックは、基板固定用に部品化された１個の接続ジャック部品として供給される。そして、このような接続ジャック部品を、そのプラグ差込口が配線基板より少しはみ出した位置で配線基板に固着し、さらに、電子装置の外側ケースに接続ジャック部品の一部を露出する開口部を設け、この開口部で接続ジャック部品のはみ出しだ部分を囲むようにして固定されるのが一般的である。
【０００４】
このように、接続ジャックの前面部分が外側ケースの開口部にはめ込まれた状態とすることで、接続ジャックに差し込まれた外部プラグが上下左右に動かされても、接続ジャック部品が外側ケースにより押えられて、接続ジャック部品の固着部がこじられると云った不具合や、それにより配線基板のパターンがめくれてしまうというような不具合を回避することが出来る。
【０００５】
また、本願発明に関連する従来技術として、特許文献１〜３に示すような技術があった。このうち特許文献１には、発熱部品を筐体と金属を介して接触させて放熱効果を上げる技術が開示されている。特許文献２と３には、装置内を電磁的に遮蔽するシールド部材の接合が確実に行われるようにする技術が開示されている。
【特許文献１】特開２００３−１１１４１５号公報
【特許文献２】実開平０６−０５７０９１号公報
【特許文献３】特開平０４−２５５２９６号公報
【発明の開示】
【発明が解決しようとする課題】
【０００６】
例えば、デジタルのビデオ信号処理やデジタル無線伝送など、比較的出力の大きな高周波信号を扱う電子装置の場合、多くの不要輻射が発生するため、装置を電磁的にシールドして不要輻射が装置から漏れ出さないようにする必要がある。また、このような不要輻射は、外部プラグを介して電線が接続された状態となる接続ジャックの周辺から外部に漏れ出すことが多い。
【０００７】
ところで、接続ジャックの周辺から漏れる不要輻射を少なくするには、接続ジャックを装置の内側に少し引っ込めた配置で固定するとともに、電磁シールドを接続ジャックの前面位置まで配設する構造が有効であると考えられる。しかしながら、このような構造では、従来のように接続ジャックの前面部分が外側ケースにはめ込まれる構造を採れなくなるため、外部プラグに上下左右の力が掛けられた場合に、接続ジャック部品の半田固着部がこじられるという不具合が発生しやすくなると考えられた。
【０００８】
この発明の目的は、不要輻射の漏れを少なくし、且つ、接続ジャックの固着部がこじられると云ったことのない信頼性の高い接続ジャックの取付構造を提供することにある。また、比較的出力の大きな高周波信号を扱う電子装置でおいて、不要輻射の漏れ出しを少なくし、且つ、接続ジャックの固着部にこじりなどが生じ難い電子装置を提供することにある。
【課題を解決するための手段】
【０００９】
本発明は、上記目的を達成するため、外部プラグを接続するための接続ジャックが基板固定用に部品化されてなる接続ジャック部品を配線基板に取り付ける接続ジャックの取付構造であって、前記接続ジャック部品を跨いでその上面側を覆い囲むブラケットを備え、前記接続ジャック部品の底面部を前記配線基板に向かい合わせた状態で当該接続ジャック部品の端子と前記配線基板とが半田固着され、前記ブラケットが前記接続ジャック部品の上面側を覆い囲んだ状態で前記配線基板を介してネジ止着されている取付構造とした。
【００１０】
このようなブラケットを用いることで、接続ジャック部品と配線基板とがブラケットを介して一体化されるため、接続ジャックに差し込まれた外部プラグが上下左右に動かされた場合でも、接続ジャック部品の半田固着部がこじられてしまうことが防止される。
【００１１】
また、このように接続ジャック部品の固定を補強できることから、接続ジャックのプラグ差込口を外側ケースより少し内側に配置することが可能となり、これにより不要輻射の漏れ出しを少なくするような様々な対策を講じることが可能となる。
【００１２】
具体的には、外部プラグを接続するための接続ジャックを備えた電子装置であって、前記接続ジャックのプラグ差込口が外側ケースより内側に入り込んだ位置に配置にされ、前記接続ジャックを構成する接続ジャック部品が上述の接続ジャックの取付構造により取り付けられた構成とすることが出来る。
【００１３】
また具体的には、内部に高周波信号を処理する処理回路と、前記プラグ差込口の部分が開口された電磁シールドとを備え、前記電磁シールドにより前記接続ジャック部品の前面位置まで装置内が遮蔽された構成とすることが出来る。
【００１４】
このような構成により、接続ジャック周辺から漏れ出す不要輻射の低減が図れ、且つ、接続ジャック固着部のこじりなどを防止することが出来る。
【００１５】
望ましくは、前記ブラケットは、金属性の部材から形成されるとともに、前記配線基板より上方位置に形成された止着面と、前記配線基板より下側まで伸びる延出部とを有し、前記配線基板の上側を覆う第１電磁シールドが前記ブラケットの前記止着面にネジ止着され、前記配線基板の下側を覆う第２電磁シールドが前記ブラケットの前記延出部に接触して電気的に結合している構成にすると良い。
【００１６】
さらに望ましくは、前記配線基板の前記ブラケットがネジ止着される部位には該配線基板のグランド線と接続された金属パッドが形成されているとともに、該金属パッド上に金属の凹凸が形成されている構成にすると良い。
【００１７】
このような構成により、接続ジャックを補強するブラケットにより、上電磁シールドと下電磁シールドとの電気的な結合を確実にすることが出来るとともに、電磁シールドと配線基板のグランドとを電気的に確実に結合させて、不要輻射の漏れ出しをさらに低減させることが出来る。
【発明の効果】
【００１８】
以上説明したように、本発明に従うと、比較的出力の大きな高周波信号を扱うような電子機器であっても、不要輻射の漏れ出しを極力少なくすることが出来るとともに、接続ジャックの半田固着部のこじり等を防止できるという効果がある。
【発明を実施するための最良の形態】
【００１９】
以下、本発明の実施の形態を図面に基づいて説明する。
図１は、本発明の実施の形態の電子装置を示す分解斜視図である。
この実施の形態の電子装置１は、例えばビデオ信号をデジタルデータに変換して無線伝送するＡＶ伝送装置であり、比較的出力の大きな高周波信号の処理を行うため、装置外部への不要輻射の漏れ出しを極力少なくする必要のある装置である。
【００２０】
電子装置１には、その前面側にデジタルの無線信号を送受信するアンテナ（図示略）が設けられる一方、その背面側には、ビデオ信号やオーディオ信号を入力する接続コネクタ３１…，３２、機器設定用のボタンスイッチ３３、並びに、ＡＣアダプタから直流電源を入力するためのＤＣジャック（接続ジャック部品）３４が設けられている。
【００２１】
電子装置１は、図１に示すように、外側ケースの下側部分となる例えば樹脂製の下ケース５０と、電磁シールドの下側部分になる下シールド４０と、各種の回路が実装される第１配線基板３０および第２配線基板２０と、電磁シールドの上側部分になる上シールド１０と、外側ケースの上側部分になる例えば樹脂製の上ケース（図示略）と、例えば金属製の部材からなり装置背面を覆う背面パネル６０とが組み付けられた構成になっている。また、第１配線基板２０と第２配線基板３０並びに上下のシールド１０，４０を一体的に固定するためにこれらの間に接続金具７０，７０Ｂ〜７０Ｃが設けられている。
【００２２】
上シールド１０と下シールド４０は、アルミなどの金属製の部材からなり、互いに組み合わさって箱型形状になるものである。そして、これらの内側に配線基板２０，３０を収容して装置外への不要輻射の漏れ出しを防止するようになっている。
【００２３】
上シールド１０には、その上面四隅にネジ止着用のネジ挿通孔１２…が設けられ、また背面側には、第１配線基板３０に配設された接続コネクタ３１…，３２やボタンスイッチ３３並びにＤＣジャック３４を外部に露出するための開口１４…，１５〜１７が設けられている。同様に、背面パネル６０にも、これらを外部に露出するための開口６４…，６５，６７が設けられている。
【００２４】
下シールド４０には、第１配線基板３０の下側を四方から囲む側壁４１が設けられるともに、底面部の四隅にはネジ止着用の挿通孔４３…が設けられている。
また、第１配線基板３０や第２８配線基板２０にも、その四隅にネジ止着用のネジ挿通孔３６…，２２…が設けられている。
【００２５】
接続金具７０，７０Ｂ〜７０Ｄは、第１と第２配線基板２０，３０や下シールド４０と上シールド５０の間に介在して互いを止着するための金属製の部材であり、第１配線基板３０に面してネジ止着されるための基部側の折曲面７２…と、第２配線基板２０に面してこれをネジ止着するための一段目の折曲面７３…と、上シールド１０に面してネジ止着するための二段目の折曲面７４…と、第１配線基板３０の側方から下側に張り出して下シールド４０の側壁４１と接触される延出部７５…とが設けられている。
【００２６】
また、上記基部側の折曲面７２…には、第１配線基板３０のネジ挿通孔３６と下シールド４０のネジ挿通孔４３と対応させて同様のネジ挿通孔が設けられ、これらのネジ挿通孔を介して第１配線基板３０と下シールド４０とを間に挟んだ状態で下ケース５０のボス５２…にネジ止着されるようになっている。
【００２７】
また、一段目と二段目の折曲面７３…，７４…には、第２配線基板２０のネジ挿通孔２２…や上シールド１０のネジ挿通孔１２…に対応させてネジ孔が設けられている。
【００２８】
図２には、第１接続金具７０が第１配線基板３０に止着されている状態の正面図を、図３には第１接続金具７０の三面図を示す。同図（ａ）が正面図、（ｂ）が平面図、（ｃ）が左側面図である。また、図４には、第１接続金具７０の止着部の構造を説明する分解斜視図を示す。
【００２９】
第１配線基板３０に配設されたＤＣジャック３４は、基板固定用に部品化されたされたＤＣジャック部品であり、ＤＣプラグの差込口を外側に向け、且つ、底面部を第１配線基板３０に向かい合わせた状態で、接続端子を配線基板３０の配線パータンに半田固着させて取り付けられている。
【００３０】
また、上述した４個の接続金具７０，７０Ｂ〜７０Ｄのうち、第１の接続金具７０は、ＤＣジャック３４の上面側を押えてその半田固着部のこじりなどを防止する役割りを担うものであり、図２に示すように、ＤＣジャック３４を跨いでＤＣジャック３４を上面から覆い囲んだ状態で第１配線基板３０にネジ止着されている。
【００３１】
第１接続金具７０は、ＤＣジャック３４を跨いで左基部側の折曲面７２と右基部側の折曲面７２との両方がそれぞれネジ止着されている。さらに、ＤＣジャック３４の上方部分にはＤＣジャック３４の上面に沿った折曲面７７（図３参照）が設けられている。
【００３２】
第１接続金具７０の折曲面７７とＤＣジャック３４の上面との間には、僅かな隙間が設けられているが、ＤＣジャック３４に外部から力が働いてＤＣジャック３４が僅かに変位したときに第１接続金具７０がＤＣジャック３４の上面を押えてＤＣジャック３４の固着部が補強されるようになっている。なお、予め第１接続金具７７がＤＣジャック３４の上面側を押える状態で、第１接続金具７７が第１配線基板３０に固定されるように構成しても良い。また、上面だけでなく、ＤＣジャック３４の左右両側面も第１接続金具７７によりはさみ込まれるような構成としても良い。
【００３３】
図４に示すように、第１接続金具７０の基部折曲面７２が止着される第１配線基板３０の止着部には、グランド線と電気的に接続されたパッド３８が形成され、且つ、このパッド３８上に複数の金属凹凸が設けらた構成になっている。さらに、第１接続金具７０の止着部の裏側部分は絶縁膜などが取り除かれて導通が確保された構成となっている。そして、第１接続金具７０の折曲面７２と第１接続金具７０とがネジ止着により圧接されることで、第１接続金具７０と第１配線基板３０のグランドとが電気的に確実に結合されることとなる。
【００３４】
さらに、第１接続金具７０は、一段目と二段目の折曲面７３，７４についても絶縁膜などが取り除かれて導通が確保され、第２配線基板２０や上シールド１０をネジ止着する際に、第２配線基板２０のグランドや上シールド１０と電気的に確実に結合されることとなる。
【００３５】
また、第１接続金具７０は、延出部７５の外面側についても導通が確保され、且つ、この部分が下シールド４０の壁面４１を押圧した状態で該下シールド４０と接触して、下シールド４０と電気的に確実に結合されるようになっている。
【００３６】
このような第１接続金具７０の介在により、第１配線基板３０と第２配線基板２０の各グランドの電気的な結合、および、これらグランドと上下のシールド１０，４０との電気的な結合を良好に図ることができ、それにより電磁シールドの作用を高めて不要輻射の漏れ出しを極力少なくすることが可能になっている。
【００３７】
なお、これら第１接続金具７０と上下シールド１０，４０並びに第１と第２の配線基板２０，３０との電気的な接続状態は、残り３個の接続金具７０Ｂ〜７０Ｄについても同様である。
【００３８】
以上のように、上記実施の形態の電子機器１によれば、不要輻射の漏れ出しを少なくするため、ＤＣジャック３４を装置裏面よりやや内側の位置に配置して、ＤＣジャック３４の周囲をシールド１０で覆ってプラグ差込口のみを装置外に露出させるように出来る一方、第１接続金具７０を用いたＤＣジャック３４の取付構造により、第１接続金具７０がＤＣジャック３４を押える構造なので、ＤＣプラグを抜き挿しする際にＤＣジャック３４の固着部がこじられてしまうといった不具合を防止することが出来る。
【００３９】
なお、本発明は、上記実施の形態に限られるものではなく、様々な変更が可能である。例えば、上記実施の形態では、接続ジャックとしてＤＣジャックを例示したが、例えば、ミニジャックやその他種々の接続コネクタなどにも同様に適用することが出来る。
【００４０】
その他、外ケースの形状や背面パネルの有無、接続金具の形状など、上記実施の形態に具体的に記した細部等は、発明の趣旨を逸脱しない範囲で適宜変更可能である。
【産業上の利用可能性】
【００４１】
本発明は、比較的に出力の大きな高周波信号の処理を行うオーディオビジュアル機器やコンピュータ関連機器に適用して有用なものである。その他、接続ジャックを外側ケースからはみ出さないように設ける必要のある種々の電子装置に適用して有用なものである。
【図面の簡単な説明】
【００４２】
【図１】本発明の実施の形態の電子装置を示す分解斜視図である。
【図２】第１接続金具が止着されている状態を示す正面図である。
【図３】第１接続金具の詳細を示す三面図である。
【図４】第１接続金具の止着部の構造を示す分解斜視図である。
【符号の説明】
【００４３】
１      電子装置
１０    上シールド
２０    第２配線基板
３０    第１配線基板
３４    ＤＣジャック（接続ジャック部品）
３８    パッド
４０    下シールド
５０    下ケース
６０    背面パネル
７０    第１接続金具（ブラケット）
７５    延出部
７７    折曲部
【図１】
2008103446.tif 000003
【図２】
2008103446.tif 000004
【図３】
2008103446.tif 000005
【図４】
2008103446.tif 000006